(57)【要約】【課題】可動フレーム部が前面に跳ね上がるための機構部を、背面あるいは同軸上に設置し、全体のデザインを損なわないように組み入れるとともに、弾性力の発生部を眼鏡本体部と可動フレーム部の双方に複数分散させ、倍力作用を得て、従来の弾性力発生の小型化の限界を超えて、小型化を得る点である【解決手段】可動フレーム９に取り付けられたリム１３は、跳ね上げ軸１、跳ね上げ軸８を中心に回転が可能で、眼鏡本枠部１０から前面にリム１３が回り出ることができ、さらに弾性体の実施例の一つの形態であるスプリングＡ３、スプリングＢ６の作用で噛み合わせ部に厚接作用が生じ、どのような角度でも随時固定できる【選択図】図１
0003121730.tif 000002
【実用新案登録請求の範囲】
【請求項１】
眼鏡本体部と可動フレーム部を接合する接合部において眼鏡本体部と可動フレーム部が回転軸を通して、かみあい、固定されるとともに、回転軸を中心に回転動作が得られるように構成し、さらに単数または複数の弾性体を組合せ構成し、眼鏡本体部と可動フレーム部の接合面に弾性力を作用させたことを特徴とする跳ね上げ式眼鏡枠。
【請求項２】
眼鏡本体部と可動フレーム部を接合する接合部において眼鏡本体部と可動フレーム部が回転軸を通して、かみあい、固定されるとともに、回転軸を中心に回転動作が得られるように構成し、さらに単数または複数の弾性体を組合せ構成し、眼鏡本体部と可動フレーム部の接合面に弾性力を作用させたことを特徴とし、跳ね上げ部が眼鏡本体部の背後にありながら跳ね上げ部が前面に跳ね上がる動作を行う、跳ね上げ式眼鏡枠。
【請求項３】
眼鏡本体部と可動フレーム部を接合する接合部において眼鏡本体部と可動フレーム部が回転軸を通して、かみあい、固定される構造とし、回転軸が眼鏡本体部の背面に位置するように構成され、なおかつ可動フレーム部が眼鏡本体部の前面から上方部に跳ね上がる動作を得、回転軸と取付軸の接触面に接触ブッシュと摩擦構成面と、さらに圧力調整機構を単数あるいは複数個、備えた事を特徴とする跳ね上げ式眼鏡枠。
【請求項４】
眼鏡本体と可動フレーム部を接合する接合部において眼鏡体部と可動フレーム部が回転軸を通して、かみあい、固定される構造とし、回転軸が眼鏡本体部の取付軸に位置するように構成され、なおかつ可動フレーム部が眼鏡本体部の前面から上方部に跳ね上がる動作を得、回転軸と取付軸の接触面に接触ブッシュと摩擦構成面と、さらに圧力調整機構を単数あるいは複数個、備えた事を特徴とする跳ね上げ式眼鏡枠。
【考案の詳細な説明】
【技術分野】
【０００１】
本考案は、跳ね上げ式眼鏡枠に関するものである。
【背景技術】
【０００２】
従来、跳ね上げ式眼鏡として多種にわたり発案されてきたが回転可能な構造において希望する角度での角度維持、回転の安定性、耐久性の点で実用上不十分であった。
また回転機構の複雑さが問題となっていた。
【０００３】
また従来は可動フレームが眼鏡本体部の前面に構成される構造となるためデザイン面で複雑さや煩雑なイメージ傾向になるという欠点があった。
【０００４】
従来は弾性力を側面に対して作用させ、角度維持を機能させる際に、必要摩擦力を得るための最小限必要な大きさが大きく必要で有り、機構の小型化を阻んでいた。    
【考案の開示】
【考案が解決しようとする課題】
【０００５】
解決しようとする問題点は、可動フレーム部が前面に跳ね上がるための機構部を、従来取られなかった位置に設定、特には本体部と同軸上に、あるいは背面に設置することで、全体のデザインを損なわないように組み入れる点である。
【０００６】
また、弾性力の発生部を眼鏡本枠と可動フレーム部の双方に複数分散させ、倍力作用を得て、従来の弾性力発生の小型化の限界を超えて、小型化を得る点である。
【課題を解決するための手段】
【０００７】
本考案の請求項1は、可動フレーム部と本枠の相対的位置関係を規定せずに任意の位置が設定しうるものとし、本考案の請求項２は、特に、可動フレーム部を本枠の背面に位置させることを主要な特徴とする。 
【０００８】
本考案の請求項３は、跳ね上げの回転軸が眼鏡本体部の背面に位置させた構造となることを主要な特徴とし、圧力を調整する機構を備えることを特徴とする。
【０００９】
本考案の請求項４は、  跳ね上げの回転軸が眼鏡本体部の一部に形成され取付軸と一体化し、回転軸を眼鏡本体部と同軸に構成したことを主要な特徴とする。
【００１０】
また弾性力の組み入れを、単数として組み入れるのは当然の手段であるが、複数の弾性力を用い倍力作用を得るような手段をもち、大きな跳ね上げの位置の維持力を得ることができ、また、弾性体を回転方向に作用させ、回転力を得て、跳ね上げ動作を行う手段をもつ。
【考案の効果】
【００１１】
本考案の請求項１、２による跳ね上げ眼鏡は、背面に可動フレーム部が有りながら前面に跳ね上がる点で、可動フレーム部及び跳ね上げ機構部が眼鏡本体部の背面に隠されてデザインが向上するという利点があり、また、弾性力の複数組み込み、分散化によって、倍力作用が得られるため跳ね上げ機構部を従来よりも小型にできる効果をもつ。
【００１２】
本考案の請求項３は、回転軸が眼鏡本体部の背面に位置するように構成されているので、従来からの方式である、眼鏡本体と可動フレームの間に回転軸の中心が位置する構成に比べ跳ね上げ機構部の厚さが低くできる構造を取ることが出来る効果を持つ。
【００１３】
本考案の請求項４における発明では、従来なしえなかった、眼鏡本体自体に摺動回転軸部をもうけこれ自体を回転軸とした構造となっていて、跳ね上げ機構部が摺動回転軸部にかねそらえられた原理をもつので、跳ね上げ機構部が眼鏡本体からはみ出るような従来からの構造デザインから脱却できる効果を持つ。
【考案を実施するための最良の形態】
【００１４】
跳ね上げ機構部、可動フレーム部を眼鏡本体の背面に位置させながら前面に跳ね上がる目的を、最小の部品形状で、安定した動作を得ながら、デザイン性を追求しつつ実現した。
【実施例１】
【００１５】
図１は、本考案装置の１実施例の断面図であって、１は跳ね上げ軸、２はッシャーＡ、３スプリングＡ、４ゆるみ止めワッシャ、５はワッシャーＢ、６はスプリングＢ、７は軸受けワッシャー、８は跳ね上げ軸を表しており、跳ね上げ機構部をあらわすものである。
【００１６】
跳ね上げ軸１の軸にスプリング３を差し込み一体とし、可動フレーム部９の回転軸ホルダー１１に設けられたホールＡ１４に挿入し、回転軸ホルダー１１にかみ合わせた眼鏡本体部１０の端面に設けられた回転軸ホール１６には、ゆるみ止めワッシャ４とワッシャーＢ５とともにスプリングＢ６を挿入しておき、最後に軸受けワッシャー７をはめ込む。
【００１７】
また、跳ね上げ軸８を回転軸ホルダー１１のホールＢ１５に挿入し、ねじ込み、眼鏡本体部１０の一方の端面に設けられた回転軸ホール１６に挿入させ、跳ね上げ軸８の先端で眼鏡本体部１０の内部の軸受けワッシャー７を押すことでスプリングＢ６を押しつぶすように構成する。
【００１８】
ワッシャーＡ、ＢはスプリングＡ、Ｂと跳ね上げ軸との摩擦を回避するように組合せ構成している。
【００１９】
このように構成されているので、可動フレーム９に取り付けられたリム１３は回転軸、跳ね上げ軸を中心に回転が可能で、眼鏡本体部１０から前面にリム１３が回り出ることができ、さらに弾性体の実施例の一つの形態であるスプリングＡ、Ｂの作用で噛み合わせ部に厚接作用が生じ、どのような角度でも随時固定できる効果が得られる。
【００２０】
図２は図１の断面構造の組み立て斜視図であって、リム１３を左右に備えた回転軸ホルダー１１に対して回転軸ユニット１０を構成した眼鏡本体部１２をはめ込み組み立てる構造を示している。
【００２１】
図３は、請求項１による実施例の斜視図であり、眼鏡体本部１０に回転軸ホルダー１１を噛み合わせ、回転可動が可能な構成となっていることを示した図であって、リム１３を下ろした動作の状態を示す。
【００２２】
図４は、リム１３を跳ね上げた斜視図であって、可動フレーム部２１は眼鏡本体部１０の背面に、回転軸ホルダー１１にて跳ね上げ軸１、跳ね上げ軸８にて取り付けられ、内部に仕組まれた弾性体の圧力によって、摩擦力を得て回転と、無段階な動作で跳ね上がった位置で静止する事が出来る。
【００２３】
図５は、請求項１による実施例のとりうる形態の一つであって、その断面構造を示していて、回転軸ホルダー１１に設けられたスリット２４によって形成された、スリット壁２３を回転軸２５が弾性体２２を締め付けることで、スリット壁２３を圧迫し、スリット壁２３が眼鏡枠本体ユニット側面壁２６を厚接する事で、摩擦力を得て、無段階可動固定の跳ね上げ動作を得ている。  
【００２４】
本考案装置の取りうる一つの実施例として、実施例１での跳ね上げ軸１の形態をロング回転軸として構成し、跳ね上げ軸８の形態を回転軸止めナットとして構成することも取りうる。
【実施例２】
【００２５】
図６は請求項３における一つの実施例であって、リム３８が本枠３１に装着され、本枠ホルダー部３５にて回転ユニット３４を回転可能な状態にて回転軸３７にて結合している。  
【００２６】
また、図９に示すように、回転ユニット３４の内部に回転方向弾性体３６を構成し、回転ユニット３４と本体ホルダー３５の間に、回転方向弾性体３６による回転力を発生して跳ね上げ動作を得る。
【実施例３】
【００２７】
図１０は請求項３による実施例の一つであり、回転ユニット３４と本体ホルダーを２カ所、左右のリム３９の天井部に構成したものである。
【実施例４】
【００２８】
図１４は請求項４による実施例の一つであり、眼鏡本体部４１と、可動フレーム部４５を跳ね上げユニット４７で回転可能に連結している。
【００２９】
図１６は跳ね上げユニット４９の部品構成を示している。
【００３０】
眼鏡本体部４１の可動フレーム部との結合箇所に、結合窪み５１を構成することで眼鏡本体部４１の一部を可動フレームの取付軸として形成し、そこに嵌り込む軸受けブッシュ４８を結合窪み５１に嵌り込み、さらに、跳ね上げユニットホルダー４７を軸受けブッシュ４８に設けた窪み５３に対してはめ込み、跳ね上げユニットホルダー４７に備わったネジ締め付けの圧力、もしくは跳ね上げユニットホルダー第二タイプ５２に備わった弾性力を持って、摩擦抵抗を得て、跳ね上げ動作の、無段階の跳ね上がり状態維持の動作を得ている。
【００３１】
このように弾性力の作用を得て摩擦力による跳ね上げ維持を図るほかに、回転方向に弾性力を作用させ、回転力を得て、跳ね上げ動作を得るという実施もできる。
【産業上の利用可能性】
【００３２】
可動フレームが眼鏡本体部の背面に有りながら前方に跳ね上がるため、動作に意外性が生じるとともに、跳ね上げ機構部がデザインの一部として隠されるため、従来のデザインを越えた跳ね上げ眼鏡の構成を表出できる可能性がある。
【００３３】
また回転軸を眼鏡本体部の背後に配置できるため、跳ね上げ機構の張り出しが少なくて済婿とから、跳ね上げ機構を左右のリムに複数個装着するという構造も取りうる。
【００３４】
この考案による可動機構は、メガネフレームの跳ね上げ機構以外にも、メガネフレームの可動部分全般に適用できる
【図面の簡単な説明】
【００３５】
【図１】請求項１および２の実施方法を示した断面図である。
【図２】請求項１および２の構成方法を示した説明図である。
【図３】請求項１および２の実施方法を示した斜視図である。
【図４】請求項１および２の可動フレーム部を跳ね上げた状態を示した斜視図である。
【図５】請求項１による実施例の別形態の断面図である。
【図６】請求項３による実施方法であり、裏面から見た斜視図であるり、可動フレーム部が跳ね上がった状態を示す。
【図７】請求項３による実施例であり、上面から見た図である。
【図８】請求項３による実施例であり、正面から見た図である。
【図９】請求項３による実施例の構成方法を示した説明図である。
【図１０】請求項３による実施例であり、正面から見た図である。
【図１１】請求項３による実施例のひとつであり、斜視図である。
【図１２】請求項３による実施方法であり、裏面から見た斜視図であるり、可動フレーム部が跳ね上がった状態を示す。
【図１３】請求項４による実施例であり、上面から見た図である。
【図１４】請求項４による実施方法であり、裏面から見た斜視図であるり、可動フレーム部が跳ね上がった状態を示す。
【図１５】請求項４による実施例であり、正面から見た図である。
【図１６】請求項４による実施例の構成方法を示した説明図である。
【図１７】請求項４による跳ね上げユニットホルダーの実施例を２例示した斜視図である。
【符号の説明】
【００３６】
１    跳ね上げ軸
２    ワッシャーＡ
３    スプリングＡ
４    ゆるみ止めワッシャ
５    ワッシャーＢ
６    スプリングＢ
７    軸受けワッシャー 
８    跳ね上げ軸
９    可動フレーム
１０  眼鏡本体部
１１  回転軸ホルダー
１２  回転軸ユニット
１３  リム
２１  可動フレーム部
２２  弾性体
２３  スリット壁
２４  スリット
２５  回転軸
２６  眼鏡枠本体ユニット側面壁
３１  本枠
３４  回転ユニット 
３５  本枠ホルダー部
３６  回転方向弾性体
３７  回転軸 
３８  リム
３９  リム
４１  眼鏡本枠
４５  可動フレーム部
４７  跳ね上げユニットホルダー
４８  軸受けブッシュ
４９  跳ね上げユニット
５１  結合窪み
５２  跳ね上げユニットホルダー第二タイプ    
５３  窪み
【図１】
0003121730.tif 000003
【図２】
0003121730.tif 000004
【図３】
0003121730.tif 000005
【図４】
0003121730.tif 000006
【図５】
0003121730.tif 000007
【図６】
0003121730.tif 000008
【図７】
0003121730.tif 000009
【図８】
0003121730.tif 000010
【図９】
0003121730.tif 000011
【図１０】
0003121730.tif 000012
【図１１】
0003121730.tif 000013
【図１２】
0003121730.tif 000014
【図１３】
0003121730.tif 000015
【図１４】
0003121730.tif 000016
【図１５】
0003121730.tif 000017
【図１６】
0003121730.tif 000018
【図１７】
0003121730.tif 000019